(57)【要約】      （修正有）【課題】配線ハンドルは端子台上でしっかりと嵌合して脱落せず、配線ハンドルは端子台にしっかりと便利に掛合される長所を備える端子台組部品及びその配線ハンドルを提供する。【解決手段】端子台組部品１０及びその配線ハンドル２に関し、その配線ハンドル２は、押圧桿体２１及び持ち手２２を含み、押圧桿体２１一側は押圧凸腕２１１及び別一側は停止部を備える。持ち手２２と押圧桿体２１は、枢設構造２３で相互に連接し、持ち手２２一側は挟持凸腕２２１が伸び、別の一側はバネ腕２２２が延びる。挟持凸腕２２１と押圧凸腕２１１は相対して設置し、バネ腕２２２は停止部に選択式で支持する。【選択図】図１
0003214176.tif 000002
【実用新案登録請求の範囲】
【請求項１】
配線ハンドルにおいて、
一側に押圧凸腕を備え、別一側に停止部が延びる押圧桿体と、
該押圧桿体と枢設構造で相互に連接し、一側は挟持凸腕が伸び、別一側はバネ腕が延び、該挟持凸腕と該押圧凸腕は相対設置し、該バネ腕は該停止部に選択式で支持する持ち手を含むことを特徴とする配線ハンドル。
【請求項２】
前記押圧桿体の該押圧凸腕から遠い一端は、内向きに嵌合凹槽を成形し、該嵌合凹槽?部は底端壁を備え、該停止部は該底端壁から外向きに延びる停止塊を含み、該バネ腕は該嵌合凹槽に嵌入し、該停止塊に選択式で支持することを特徴とする請求項１記載の配線ハンドル。
【請求項３】
前記嵌合凹槽?部は相対した二内側壁を備え、該持ち手の該押圧桿体方向には回転軸塊が延び、該枢設構造は該二内側壁に穿設した二枢設孔及び該回転軸塊両側から延びた二枢設柱を含み、該回転軸塊は該嵌合凹槽に納置し、該二枢設柱は該二枢設孔に枢設することを特徴とする請求項２記載の配線ハンドル。
【請求項４】
前記挟持凸腕及び該バネ腕は、それぞれ該回転軸塊の相対する両側から延長して成形し、該押圧凸腕は該挟持凸腕向きに第一ほぞが延び、該挟持凸腕は該押圧凸腕向きに第二ほぞが延びることを特徴とする請求項３記載の配線ハンドル。
【請求項５】
端子台組部品において、そのうち、端子台は、
少なくとも一挿入槽を形成し、定位外凸塊が延び、該定位外凸塊の一端は固定挟持部を備え別一端は該挿入槽に連通する差込槽を形成する絶縁台と
該差込槽に移動式で挿入し、該差込槽から露出した押圧部を備える少なくとも一移動部品を含み、
そのうち、配線ハンドルは、
一側は押圧凸腕を備え、別一側は停止部が延びる押圧桿体と、
該押圧桿体と枢設構造で相互に連接し、一側は挟持凸腕が伸び、別一側はバネ腕が延び、該挟持凸腕と該押圧凸腕は相対設置し、該バネ腕は該停止部に選択式で支持する持ち手を含み、
そのうち、該押圧凸腕と該挟持凸腕は、それぞれ該固定挟持部と該押圧部に挟持する時、該バネ腕は該停止部に支持し、それに拠って該押圧凸腕及び該挟持凸腕を互いに接近する方向に近づけることを特徴とする端子台組部品。
【請求項６】
前記押圧桿体の該押圧凸腕から遠い一端は内向きに嵌合凹槽を成形し、該嵌合凹槽内部は底端壁を備え、該停止部は該底端壁から外向きに延びる停止塊を含み、該バネ腕は、該嵌合凹槽に嵌入し、該停止塊に選択式で支持することを特徴とする請求項５記載の端子台組部品。
【請求項７】
前記嵌合凹槽?部は相対した二内側壁を備え、該持ち手の該押圧桿体方向には回転軸塊が延び、該枢設構造は該二内側壁に穿設した二枢設孔及び該回転軸塊両側から延びた二枢設柱を含む、該回転軸塊は該嵌合凹槽に納置し、該二枢設柱は該二枢設孔に枢設することを特徴とする請求項６記載の端子台組部品。
【請求項８】
前記挟持凸腕及び該バネ腕は、それぞれ該回転軸塊の相対する両側から延長して成形することを特徴とする請求項７記載の端子台組部品。
【請求項９】
前記押圧部は、凹溝を設置し、該押圧凸腕は該挟持凸腕向きに第一ほぞが延び、該挟持凸腕は該押圧凸腕向きに第二ほぞが延び、該第一ほぞと該第二ほぞのどちかが該凹溝で嵌合することを特徴とする請求項８記載の端子台組部品及びその配線ハンドル。
【請求項１０】
前記端子台１は、更に少なくとも一導電端子及び少なくとも一バネ片を含み、該導電端子及び該バネ片は該挿入槽?部に設置し、該バネ片は該移動部品と該導電端子の間に設置し、該移動部品は該バネ片を押圧し、該バネ片で該挿入槽を開閉することを特徴とする請求項９記載の端子台組部品。
【考案の詳細な説明】
【技術分野】
【０００１】
本考案は、配線のハンドツールに関するもので、特に端子台組部品及びその配線ハンドルに係る。
【背景技術】
【０００２】
端子台〈Terminal Block〉は、機器設備〈例として工業計算機、無停電電源装置、電源供給器等〉、工業制御設備〈例として電気機械システム、冷凍空調もしくはプログラマブルコントローラ等〉 もしくは電器製品〈例として冷房機、冷蔵庫、洗濯機もしくはオーブン等〉に汎用され、それらは多数個の導線を電気連接する導電装置である。
【０００３】
従来の端子台は、主に絶縁台と導電端子を組合せて構成され、絶縁台?部には更にケーブルを固定するのに用いるバネ片を設置し、ドライバーでケーブルを絶縁台に挿入し且つ導電端子と接続し、最後にドライバーを引き抜くと、バネ片がケーブルを押さえ、絶縁台?に定位させる。
【先行技術文献】
【特許文献】
【０００４】
【特許文献１】特開２００５−３４０１４２号公報
【考案の概要】
【考案が解決しようとする課題】
【０００５】
解決しようとする問題点は、上述端子台は配線作業時、ドライバー自身が配線に使用するために作ったものではないので、ドライバーで設置するには不便であり、且つドライバーは使用によって端子台を壊してしまうことがある。そのため、端子台の配線作業工具として如何にして改善すればよいかを業者の課題とする。
【０００６】
考案者は上述の技術に対し、研究により、上述の問題点を解決した。
【課題を解決するための手段】
【０００７】
本考案において、その配線ハンドルは、押圧桿体及び持ち手を含み、押圧桿体一側は押圧凸腕及び別一側延伸有一停止部を備える。持ち手と押圧桿体は、枢設構造で相互に連接し、持ち手一側は挟持凸腕が伸び、別一側はバネ腕が延びる。挟持凸腕と押圧凸腕は相対して設置し、バネ腕は停止部に選択式で支持する〜することを最も主要な特徴とする。
【考案の効果】
【０００８】
本考案の端子台組部品及びその配線ハンドルは、配線ハンドルは端子台上でしっかりと嵌合して脱落せず、配線ハンドルは端子台にしっかりと便利に掛合されるという利点がある。
【図面の簡単な説明】
【０００９】
【図１】本考案の配線ハンドルの立体組立図である。
【図２】本考案の配線ハンドルの立体分解図である。
【図３】本考案の配線ハンドルの断面指示図である。
【図４】本考案の配線ハンドルの別の断面指示図である。
【図５】本考案の配線ハンドルの実施例１の使用状態指示図である。
【図６】本考案の配線ハンドルの実施例２の使用状態指示図である。
【図７】本考案の配線ハンドルの実施例３の使用状態指示図である。
【図８】本考案の配線ハンドルの実施例４の使用状態指示図である。
【考案を実施するための形態】
【００１０】
バネ腕で押圧凸腕及び挟持凸腕を互いに接近する方向に近づけ、配線ハンドルが端子台上でしっかりと嵌合されて脱落せず、配線ハンドルが端子台にしっかりと便利に掛合される長所を備える端子台組部品及びその配線ハンドルを提供することを本考案の課題とする。
【００１１】
本考案の実施例１から４の配線ハンドルにおいて、配線ハンドルは押圧桿体及び持ち手を含む。該押圧桿体は、一側に押圧凸腕を備え、別一側は停止部が延びる。該持ち手は、該押圧桿体と枢設構造で相互に連接し、該持ち手一側は挟持凸腕が伸び、別一側はバネ腕が延びる。該挟持凸腕と該押圧凸腕は相対して設置し、該バネ腕は該停止部に選択式で支持する。
【００１２】
本考案の実施例において、端子台組部品を提供し、それは端子台と配線ハンドルを含む。該端子台は、絶縁台と移動部品を含む。該絶縁台は、少なくとも一挿入槽を形成し定位外凸塊が延びる。該定位外凸塊の一端は固定挟持部を備え、別一端は該挿入槽に連通する差込槽を形成する。少なくとも一該移動部品は、該差込槽に移動式で挿入し、該移動部品は該差込槽から露出した押圧部を備える。端子台組部品は更に配線ハンドルを含む。それは押圧桿体と持ち手を含む。
該押圧桿体の一側は、押圧凸腕を備え、別一側は停止部が延びる。更に該持ち手は、該押圧桿体と枢設構造で相互に連接し、該持ち手一側は挟持凸腕が伸び、別一側はバネ腕が延びる。該挟持凸腕と該押圧凸腕は相対して設置し、該バネ腕は該停止部に選択式で支持する。そのうち、該押圧凸腕と該挟持凸腕が、それぞれ該固定挟持部と該押圧部に挟持する時、該バネ腕は該停止部を支持し、それに拠って該押圧凸腕及び該挟持凸腕を互いに接近する方向に近づける。
【実施例】
【００１３】
本考案の実施例１から４の配線ハンドルの詳細説明及び技術内容に対し、図式と共に詳細に説明する。しかしながら、以下は説明のためのものであり、本考案を制限するものではない。
【００１４】
図１から図８に示すとおり、本考案は、端子台組部品１０及びその配線ハンドルを提供する。該端子台組部品１０は、主に端子台１及び配線ハンドル２を含む。配線ハンドル２は主に押圧桿体２１及び持ち手２２を含む。
【００１５】
図１、図５から図８に示すとおり、端子台１は絶縁台１１、一もしくは復数の移動部品１２、一もしくは復数の導電端子１３及び一もしくは復数のバネ片１４を含む。
【００１６】
そのうち、絶縁台１１は、少なくとも一挿入槽１１１を形成し定位外凸塊１１２が延びる。定位外凸塊１１２一端には固定挟持部１１３を備え、別端には挿入槽１１１に連通する差込槽１１４を備える。
【００１７】
その他、移動部品１２は移動式で差込槽１１４に設置し、移動部品１２は差込槽１１４から露出した押圧部１２１を備え、押圧部１２１は凹溝１２１１を形成する。
【００１８】
更に導電端子１３及びバネ片１４は、挿入槽１１１?部に設置する。バネ片１４は移動部品１２と導電端子１３の間に設置し、移動部品１２はバネ片１４を押さえ、バネ片１４で挿入槽１１１を開閉する。
【００１９】
図１から図８に示すとおり、押圧桿体２１一側は押圧凸腕２１１を備え、別一側は停止部２１２が延びる。押圧桿体２１の押圧凸腕２１１から遠い一端は、内向きに嵌合凹槽２１３を成形し、嵌合凹槽２１３内部は底端壁２１４及び相対する二内側壁２１５を備え、停止部２１２は底端壁２１４から外向きに延びる停止塊２１４１を含む。
【００２０】
図１から図８に示すとおり、持ち手２２と押圧桿体２１は枢設構造２３で相互に連接し、持ち手２２一側は挟持凸腕２２１が延び、別の一側はバネ腕２２２が延びる。挟持凸腕２２１と押圧凸腕２１１は相対して設置し、バネ腕２２２は停止部２１２に選択式で支持し、それは即ち、バネ腕２２２が停止部２１２に支持したり、遠ざかったりする。そのうち、持ち手２２はプラスチック、もしくは金属材から構成され、外向きに延びて成形したバネ腕２２２自身は一定の弾性を備える。
【００２１】
詳細説明のとおり、バネ腕２２２は嵌合凹槽２１３に嵌入し、停止塊２１４１に選択式で支持し、それは即ちバネ腕２２２が停止塊２１４１を支持したり、遠ざけたりするということである。
【００２２】
その他、押圧凸腕２１１は挟持凸腕２２１向きに第一ほぞ２１１１が延び、挟持凸腕２２１は押圧凸腕２１１向きに第二ほぞ２２１１が延び、第一ほぞ２１１１と第二ほぞ２２１１のどちかが凹溝１２１１に嵌合する。
【００２３】
更に、持ち手２２は、押圧桿体２１向きに回転軸塊２２３が延び、枢設構造２３は、二内側壁２１５に穿設した二枢設孔２３１及び回転軸塊２２３両側から延びた二枢設柱２３２を含む。回転軸塊２２３は嵌合凹槽２１３に納置され、二枢設柱２３２は二枢設孔２３１に枢設され、且つ挟持凸腕２２１及びバネ腕２２２は回転軸塊２２３の相対する両側から延び、それぞれ成形する。
【００２４】
そのうち、押圧凸腕２１１と挟持凸腕２２１は、それぞれ固定挟持部１１３と押圧部１２１に挟持した時、バネ腕２２２は停止部２１１で押さえ、それによって押圧凸腕２１１及び挟持凸腕２２１を互いに接近する方向で近づける。
【００２５】
図５から図8に示すのは、本考案の端子台組部品１０１及び配線ハンドル２の使用状態図である。先ず、図５に示すとおり、押圧凸腕２１１と挟持凸腕２２１が固定挟持部１１３と押圧部１２１にそれぞれ挟持した時、バネ腕２２２は停止部２１１で支持し、更に押圧凸腕２１１と挟持凸腕２２１に反作用力を形成し、それに拠って押圧凸腕２１１及び挟持凸腕２２１を互いに接近する方向で近づけ、押圧凸腕２１１及び挟持凸腕２２１が固定挟持部１１３及び押圧部１２１を共同しっかりと挟持し、配線ハンドル２を端子台１上にしっかりと掛合して落ちないようにし、配線ハンドル２が端子台１にしっかりと便利に掛合される長所を備える。
【００２６】
図６に示すとおり、本考案の実施例２の端子台１はＰＩＤ式端子台に属するが、それに制限されず、ＰＩＤ式端子台はいかなる工具も必要とせず、ケーブル１００が挿入槽１１１内に入ると、ケーブル１００は本体の硬度によってバネ片１４を押さえて移動させ、導電端子１３と電気連接する。ケーブル１００がバネ片１４を押さえて移動させると、その時押圧部１２１がバネ片１４と共に下移動し、押圧凸腕２１１及び挟持凸腕２２１はバネ腕２２２の作用によって互いに近づき、配線ハンドル２は端子台１上で嵌合される。
【００２７】
その他、仮に端子台１がＰＩＤ式端子台ではない場合、持ち手２２は端子台１に近づきながら枢設回転し、押圧凸腕２１２及び挟持凸腕２２１が更に近づけ、押圧部１２１によって差込槽１１４?部へ入り込む方向に押される。この時移動部品１２がバネ片１４を押し、バネ片１４を下方向へ移動させ挿入槽１１１を開通させるので、ケーブル１００が開通した挿入槽１１１へ挿入され、導電端子１３と電気連接する。
【００２８】
最後に本考案の実施例３の図７に示すとおり、持ち手２２を端子台１方向に近づき枢設回転する力を取り消す。即ち、持ち手２２を端子台１から遠ざかる方向へ枢設回転し、押圧凸腕２１２及び挟持凸腕２２１を相互に遠ざけると、バネ片１４が元々受けていた下向きの圧力が消え、バネ片１４は上向きに移動して復位し、挿入槽１１１を閉じる。但し、ケーブル１００はすでに挿入槽１１１内に挿入されているので、バネ片１４はケーブル１００によって止められ、同時ケーブル１００は挿入槽１１１?壁及びバネ片１４の間で挟持され定位する。
【００２９】
その他、図５及び図８に示すとおり、押圧部１２１は凹溝１２１１を形成し、押圧凸腕２１１の第一ほぞ２１１１及び挟持凸腕２２１の第二ほぞ２２１１は、凹溝１２１１にそれぞれ嵌合し、配線ハンドル２を押圧部１２１に更にしっかりと噛み合わせ、配線ハンドル２は押圧部１２１に対して確実に押圧する機能を備える。
【００３０】
更に本考案の配線ハンドル２は、順方向方式で使用、もしくは逆方向方式で使用することができ、どちらの方式でも上述の作動関係及び効果を達成する。図５に示すとおり、押圧凸腕２１１は押圧部１２１に対応して押圧し、挟持凸腕２２１は固定挟持部１１３に対応して押圧する。押圧凸腕２１１の第一ほぞ２１１１は凹溝１２１１に嵌合し、配線ハンドル２は順方向使用方式で端子台１に嵌合する。本考案の実施例４の図８に示すとおり、押圧凸腕２１１は固定挟持部１１３に対応して押圧し、挟持凸腕２２１は押圧部１２１に対応して押圧する。挟持凸腕２２１の第二ほぞ２２１１は凹溝１２１１に嵌合し、配線ハンドル２は逆方向向使用方式で端子台１に嵌合する。
【００３１】
上述のとおり、本考案の端子台組部品１０及びその配線ハンドルは、同様の製品及び公開での使用に対し未見であり、産業利用生、新奇性及び進歩性を備えることから、実用新案登録の申請要件に完全に符合する。
【符号の説明】
【００３２】
１０          端子台組部品１０
１          端子台
１１          絶縁台
１１１          挿入槽
１１２          定位外凸塊
１１３          固定挟持部
１１４          差込槽
１２          移動部品
１２１          押圧部
１２１１          凹溝
１３          導電端子
１４          バネ片
２          配線ハンドル
２１          押圧桿体
２１１          押圧凸腕
２１１１          第一ほぞ
２１２          停止部
２１３          嵌合凹槽
２１４          底端壁
２１４１          停止塊
２１５          内側壁
２２          持ち手
２２１          挟持凸腕
２２１１          第二ほぞ
２２２          バネ腕
２２３          回転軸塊
２３          枢設構造
２３１          枢設孔
２３２          枢設柱
１００          ケーブル
【図１】
0003214176.tif 000003
【図２】
0003214176.tif 000004
【図３】
0003214176.tif 000005
【図４】
0003214176.tif 000006
【図５】
0003214176.tif 000007
【図６】
0003214176.tif 000008
【図７】
0003214176.tif 000009
【図８】
0003214176.tif 000010
【手続補正書】
【提出日】平成29年10月25日(2017.10.25)
【手続補正１】
【補正対象書類名】実用新案登録請求の範囲
【補正対象項目名】全文
【補正方法】変更
【補正の内容】
【実用新案登録請求の範囲】
【請求項１】
配線ハンドルにおいて、
一側に押圧凸腕を備え、別一側に停止部が延びる押圧桿体と、
該押圧桿体と枢設構造で相互に連接し、一側は挟持凸腕が伸び、別一側はバネ腕が延び、該挟持凸腕と該押圧凸腕は相対設置し、該バネ腕は該停止部に選択式で支持する持ち手を含むことを特徴とする配線ハンドル。
【請求項２】
前記押圧桿体の該押圧凸腕から遠い一端は、内向きに嵌合凹槽を成形し、該嵌合凹槽内部は底端壁を備え、該停止部は該底端壁から外向きに延びる停止塊を含み、該バネ腕は該嵌合凹槽に嵌入し、該停止塊に選択式で支持することを特徴とする請求項１記載の配線ハンドル。
【請求項３】
前記嵌合凹槽内部は相対した二内側壁を備え、該持ち手の該押圧桿体方向には回転軸塊が延び、該枢設構造は該二内側壁に穿設した二枢設孔及び該回転軸塊両側から延びた二枢設柱を含み、該回転軸塊は該嵌合凹槽に納置し、該二枢設柱は該二枢設孔に枢設することを特徴とする請求項２記載の配線ハンドル。
【請求項４】
前記挟持凸腕及び該バネ腕は、それぞれ該回転軸塊の相対する両側から延長して成形し、該押圧凸腕は該挟持凸腕向きに第一ほぞが延び、該挟持凸腕は該押圧凸腕向きに第二ほぞが延びることを特徴とする請求項３記載の配線ハンドル。
【請求項５】
端子台組部品において、そのうち、端子台は、
少なくとも一挿入槽を形成し、定位外凸塊が延び、該定位外凸塊の一端は固定挟持部を備え別一端は該挿入槽に連通する差込槽を形成する絶縁台と
該差込槽に移動式で挿入し、該差込槽から露出した押圧部を備える少なくとも一移動部品を含み、
そのうち、配線ハンドルは、
一側は押圧凸腕を備え、別一側は停止部が延びる押圧桿体と、
該押圧桿体と枢設構造で相互に連接し、一側は挟持凸腕が伸び、別一側はバネ腕が延び、該挟持凸腕と該押圧凸腕は相対設置し、該バネ腕は該停止部に選択式で支持する持ち手を含み、
そのうち、該押圧凸腕と該挟持凸腕は、それぞれ該固定挟持部と該押圧部に挟持する時、該バネ腕は該停止部に支持し、それに拠って該押圧凸腕及び該挟持凸腕を互いに接近する方向に近づけることを特徴とする端子台組部品。
【請求項６】
前記押圧桿体の該押圧凸腕から遠い一端は内向きに嵌合凹槽を成形し、該嵌合凹槽内部は底端壁を備え、該停止部は該底端壁から外向きに延びる停止塊を含み、該バネ腕は、該嵌合凹槽に嵌入し、該停止塊に選択式で支持することを特徴とする請求項５記載の端子台組部品。
【請求項７】
前記嵌合凹槽内部は相対した二内側壁を備え、該持ち手の該押圧桿体方向には回転軸塊が延び、該枢設構造は該二内側壁に穿設した二枢設孔及び該回転軸塊両側から延びた二枢設柱を含む、該回転軸塊は該嵌合凹槽に納置し、該二枢設柱は該二枢設孔に枢設することを特徴とする請求項６記載の端子台組部品。
【請求項８】
前記挟持凸腕及び該バネ腕は、それぞれ該回転軸塊の相対する両側から延長して成形することを特徴とする請求項７記載の端子台組部品。
【請求項９】
前記押圧部は、凹溝を設置し、該押圧凸腕は該挟持凸腕向きに第一ほぞが延び、該挟持凸腕は該押圧凸腕向きに第二ほぞが延び、該第一ほぞと該第二ほぞのどちかが該凹溝で嵌合することを特徴とする請求項８記載の端子台組部品及びその配線ハンドル。
【請求項１０】
前記端子台１は、更に少なくとも一導電端子及び少なくとも一バネ片を含み、該導電端子及び該バネ片は該挿入槽内部に設置し、該バネ片は該移動部品と該導電端子の間に設置し、該移動部品は該バネ片を押圧し、該バネ片で該挿入槽を開閉することを特徴とする請求項９記載の端子台組部品。
【手続補正２】
【補正対象書類名】明細書
【補正対象項目名】０００３
【補正方法】変更
【補正の内容】
【０００３】
従来の端子台は、主に絶縁台と導電端子を組合せて構成され、絶縁台内部には更にケーブルを固定するのに用いるバネ片を設置し、ドライバーでケーブルを絶縁台に挿入し且つ導電端子と接続し、最後にドライバーを引き抜くと、バネ片がケーブルを押さえ、絶縁台内に定位させる。
【手続補正３】
【補正対象書類名】明細書
【補正対象項目名】００１８
【補正方法】変更
【補正の内容】
【００１８】
更に導電端子１３及びバネ片１４は、挿入槽１１１内部に設置する。バネ片１４は移動部品１２と導電端子１３の間に設置し、移動部品１２はバネ片１４を押さえ、バネ片１４で挿入槽１１１を開閉する。
【手続補正４】
【補正対象書類名】明細書
【補正対象項目名】００２７
【補正方法】変更
【補正の内容】
【００２７】
その他、仮に端子台１がＰＩＤ式端子台ではない場合、持ち手２２は端子台１に近づきながら枢設回転し、押圧凸腕２１２及び挟持凸腕２２１が更に近づけ、押圧部１２１によって差込槽１１４内部へ入り込む方向に押される。この時移動部品１２がバネ片１４を押し、バネ片１４を下方向へ移動させ挿入槽１１１を開通させるので、ケーブル１００が開通した挿入槽１１１へ挿入され、導電端子１３と電気連接する。
【手続補正５】
【補正対象書類名】明細書
【補正対象項目名】００２８
【補正方法】変更
【補正の内容】
【００２８】
最後に本考案の実施例３の図７に示すとおり、持ち手２２を端子台１方向に近づき枢設回転する力を取り消す。即ち、持ち手２２を端子台１から遠ざかる方向へ枢設回転し、押圧凸腕２１２及び挟持凸腕２２１を相互に遠ざけると、バネ片１４が元々受けていた下向きの圧力が消え、バネ片１４は上向きに移動して復位し、挿入槽１１１を閉じる。但し、ケーブル１００はすでに挿入槽１１１内に挿入されているので、バネ片１４はケーブル１００によって止められ、同時ケーブル１００は挿入槽１１１内壁及びバネ片１４の間で挟持され定位する。